(57)【要約】【課題】住宅やオフィス等の建物の施工主や家具を購入したい人が、比較的容易に自らのニーズに合う内装又は家具等を短時間に選定し得るようにした内装、家具等提案用の建物関連販売ツールを提供するものである。【解決手段】建物個室の立体内観図を印刷した表面がフラットな台紙と、ドア、書棚、応接セット、食卓セット等の家具を基材に立体図として印刷したシールからなることを特徴とする内装、家具等提案用の建物関連販売ツールである。更に、前記シールは、基材の一方の面に密着層が設けられ、他方の面に家具が印刷されたものであることを特徴とする内装、家具等提案用の建物関連販売ツールである。特に、前記密着層がシリコーン層であることを特徴とする内装、家具等提案用の建物関連販売ツールである。【選択図】    図６
2006071915.tif 000002
【特許請求の範囲】
【請求項１】
建物室内の立体内観図を印刷した表面がフラットな台紙と、住宅やオフィスビル等で設置される家具等を基材に立体図として印刷したシールからなることを特徴とする内装、家具等提案用の建物関連販売ツール。
【請求項２】
前記シールは、基材の一方の面に密着層が設けられ、他方の面に家具等が印刷されたものであることを特徴とする請求項１に記載の内装、家具等提案用の建物関連販売ツール。
【請求項３】
前記密着層がシリコーン層であることを特徴とする請求項２に記載の内装、家具等提案用の建物関連販売ツール。
【発明の詳細な説明】
【技術分野】
【０００１】
本発明は建物関連の販売に使用する建物関連販売ツールに関し、特に建物の内装、家具等の提案乃至選定を容易になし得るようにした内装、家具等提案用の建物関連販売ツールに関する。
【背景技術】
【０００２】
住宅やオフィスビル等の建物関連の販売には、メーカーの推奨する固定的な間取図、内装図を示したカタログ、プラン集等の販売ツールが用いられている。住宅やオフィスビル等の建物の購入は、住宅の施工主の年代、家族構成、生活スタイル等によって、間取、内装又は家具等が異なり、オフィイスビルの施工主においては、業務内容において、内装又は家具等が異なるので、メーカーで想定し推奨する図を多数作成して掲載したものを販売ツールとするが一般的である。このためこれら販売ツールが厚くなるとともに必ずしも施工主のニーズに適合するものではなく、施工主はこれら多数の資料を抱えて、その選定のために、それぞれ図を個別に視認し乍らページをめくり続けるといった作業を行なうことで大幅な時間と手間を掛けなければならず、それでもなお部分的に不満を感じて、間取、内装又は家具等を変更したいとの気持を残す結果となることも多い。
【０００３】
この解決策として、従来の住宅販売ツールとして、住宅の間取図において、基本となる全体の間取り平面と、浴室トイレ、キッチン等の部分間取図のカードを多種類用意して、カードを全体間取り平面図に貼り付けて、施工主に間取りの検討をしてもらう住宅販売ツールが提供されていた。（図７、特許文献１）図７で従来のツールを説明すると、まず、基本構造を表す平面図１１を印刷したシート１０を用意する。さらに、部分パターン表示手段であるカード２０（トイレ図），３０（キッチン図）を用意する。シートとカードは、ユーザーの好みを考えて各々数種類のシートとカードを用意する。施工主は、好みのカードを選択してシート上にカードを置いてセットすることにより建築計画を簡単に効率よく行うものである。しかしながら、住宅の販売やリフォームでは、間取りの見直しの提案をするとともに、内装、家具等の提案をすることが多くある。このような場合、施工主は、購入又は、リフォーム後の間取平面図と壁紙、ドア等のパーツの印刷物を見てもリフォーム後のイメージがわかりづらい問題があった。
【０００４】
また、単独に家具を購入する場合、通常は、家具販売店に出向き陳列されている家具を確認しながら家具を選択するのがもっぱらであった。この場合も、自宅の部屋の雰囲気と家具がマッチするかどうかイメージするのが難しい場合があった。
【０００５】
【特許文献１】特開平３−１６１７８６
【発明の開示】
【発明が解決しようとする課題】
【０００６】
本発明はかかる事情に鑑みてなされたもので、その解決課題とするところは、住宅やオフィスビル等の建物の施工主や家具を購入したい人が、比較的容易に自らのニーズに合う内装又は家具等を短時間に選定し得るようにした内装、家具等提案用の建物関連販売ツールを提供するものである。
【課題を解決するための手段】
【０００７】
第１発明は、建物室内の立体内観図を印刷した表面がフラットな台紙と、住宅やオフィスビル等で設置される家具等を基材に立体図として印刷したシールからなることを特徴とする内装、家具等提案用の建物関連販売ツールである。
第２発明は、前記シールは、基材の一方の面に密着層が設けられ、他方の面に家具等が印刷されたものであることを特徴とする第１発明に記載の内装、家具等提案用の建物関連販売ツールである。
第３発明は、前記密着層がシリコーン層であることを特徴とする第２発明に記載の内装、家具等提案用の建物関連販売ツールである。
【発明の効果】
【０００８】
本発明の内装、家具等提案用の建物関連販売ツールを用いることにより、住宅施工後のイメージを容易に且つスピーディに描くことができ、従来の平面間取り図による間取りの位置換えや、パーツの見本台帳からなる販売では、到底できない販売効果を生み出すことができる。
【０００９】
また、家具の販売においても、購入者の室内のイメージにマッチした家具を選択しやすくすることが可能となり、店舗販売をスムーズに行うことができる。さらには、客先に家具の販売者が出向いて、本発明の建物関連販売ツールを用いて家具の販売をすることができる。
【発明を実施するための最良の形態】
【００１０】
本発明に用いる住宅やオフィスビルの建物室内の立体内観図を印刷した表面がフラットな台紙は、例えば図１のような部屋のイメージがしやすい立体内観図案を印刷された台紙を用いる。台紙の材質は、コート紙、ラミネート紙、フィルム等の表面がフラットなものであればどのような材質の台紙でもよい。種々の図案で印刷した台紙を用意する。図案は、室内の形状の違い、窓の違い、壁紙の違い、フロアの違い、据え付け棚の違い、照明器具の違い等の異なるパーツの組合せからなるものをユーザーの好みを考えてできる限り多く用意する。
【００１１】
本発明のシールは、基材の上に密着層又は、弱粘着剤層を設けたものである。基材としては、樹脂フィルム等を用いる。樹脂フィルムとしては、ポリエステルフィルム、オレフィン系フィルム、ポリスチレンフィルム、塩ビフィルム、塩ビ酢ビフィルム等がある。樹脂フィルム以外には、コート紙やラミネート紙等表面がフラットな面をもつ紙類であってもよい。基材に密着層を設ける場合、基材の密着層が形成される側の面が、フラットでないと密着層の表面が凹凸になり、台紙に密着しない不具合が出るので、基材の少なくとも片面は、フラットな面であることが必要である。基材の厚みは、シールの使い勝手から２０〜３００μｍの範囲とする。
【００１２】
基材は、透明であっても色つきであってもよい。基材に白色等の色が付いたものを用いた場合は、シールに印刷したドア等の色が淡色であっても、台紙に対する隠蔽性を基材がもたらすため台紙の印刷色がドアのシールを透過するのを防ぐ効果をもたらす。基材の色つけは、基材自体を着色したものでも良いし、基材の片面にカラーのベタ印刷層を設けてもよい。また、基材を着色する方法ではなく、密着層又は、弱粘着剤層に白色顔料等を着色する方法によっても隠蔽機能を与えることができる。
【００１３】
しかし、食卓セットをシール印刷した場合、基材が色つきのものを使用すると台紙にシールを貼った場合、基材の色が食卓の脚の廻りに残り、台紙の印刷を隠すことになり不自然なイメージとなってしまう。このような場合には、基材は透明のものとする。シール印刷の基材は、印刷する家具の色相と形状に種々なものがあることから透明色と台紙の印刷を隠蔽する着色のものを２種類用意する必要がある。着色は、前記の白色の他に灰色や、銀色等があり台紙の印刷を隠蔽でき、シールの印刷色に影響を与えない色であればどのような色であってもよいが、シールの印刷が淡色であっても印刷色に影響を与えない白色が好ましい。
【００１４】
シールが台紙に接する面には、密着層や弱粘着剤層を設ける。密着層の材料としては、自己粘着性をもったシリコーンゴム、シリコーン樹脂、ウレタンゴム、スチレン系エラストマー、軟質ポリエステル樹脂等から選択する。弱粘着剤層は、アクリル粘着剤、ゴム系粘着剤等より選択する。なかでも、何回もシールを台紙に貼ったり剥がしたりした場合の耐久性の高いものとして、密着層が好ましく、自己粘着性をもったシリコーン系の材料が適している。密着層の台紙に対する接着力は、弱いものなので、シールの上に一部重なるようにしてシールを貼る際にも、問題なく貼ったり、剥がしたりすることができる。つまり、シールＯＮシールが容易にできる。しかし、弱粘着層の場合は、台紙に対する接着力が密着層よりも高いので、場合によっては、重ね貼りで位置決めの修正の際に、上側のシールを剥がす際に、下側にシールも一緒に剥がしてしまう問題がでてくる。
【００１５】
前記シリコーンは、過酸化物架橋型のシリコーン重合体及び付加重合型のシリコーン重合体を使用することができる。過酸化物架橋型で使用される過酸化物としては、モノクロルベンゾイルパーオキサイド、ジクロルベンゾイルパーオキサイドがあり、付加重合型シリコーン重合体は白金触媒により重合するものを挙げることができる。
【００１６】
密着層、弱粘着剤層の厚みは、１０μｍ〜１００μｍの範囲とする。前記範囲未満では、シールが台紙に固着することが難しくなる。前記範囲を超えると不経済な厚みとなり不要のコストアップを招くことになる。
【００１７】
基材と密着層の間には、密着層が基材から剥がれ落ちないようにポリエステル樹脂等からなるアンカー層を設けてもよい。また、基材にコロナ放電処理をして易接着処理をした基材を用いても良い。
【００１８】
密着層、弱粘着剤層の面には、フィルムやラミネート紙等を貼着して保護する。
【００１９】
基材の他方の面には、前記の建物室内を印刷した台紙の印刷内容に合わせてセットされるに相応しい家具等を立体図として印刷する。住宅用の家具等としては、ドア、書棚、応接セット、食卓セット、システムキッチン、ソファ、アームチェア、センターテーブル、サイドテーブル、テレビ台、タンス、ベッド、カーテン、照明器具、敷物等が挙げられる。オフィス用の家具としては、前記の住宅用家具の他に、事務用デスク、事務用イス、会議用テーブル、会議用イス、パネル、パーテーション、キャビネット、書類整理庫、収納庫、ロビーチェアー、ロッカー等が挙げられる。印刷は、グラビヤ印刷機等の多量印刷機を用いても良いし、パソコンに繋がったインクジェットプリンタや熱転写プリンタを用いて、オンデマンドの個別印刷を施しても良い。基材の大きさを、例えばＡ４サイズの大きさにして、１枚の基材に多種類の家具を印刷して、個々の家具を印刷した形状の廻りの基材をカットすることによりシールが出来上がる。
【００２０】
同一種類の家具を多く用意する場合は、印刷イメージを損なわない範囲で、家具の端部に品番やバーコード等を印刷しておくと便利である。例えば、客より選択された家具の単価を問われた場合、品番／単価表を容易しておけば、即座に回答できる利便性がある。バーコードを印刷した場合は、スキャナーで選択された家具バーコードを読み込みこんで、ノートパソコン等で単価が表示されるようにすることで、品番と同様の利便性を得ることができる。
【００２１】
このようにして作成した台紙とシールを販売者が用意して、建物を購入又は、リフォームしたい施工主に、好みの室内内観図が印刷された台紙を選んでもらう。さらに、多数ある家具のシールから好みの家具シールを選択してもらい、台紙の適性な位置にシールを貼着してもらうことにより、施工後の室内のイメージを施工主自身が鮮明にすることができる。このような内装、家具等提案用の建物関連販売ツールを使えば、施工主側と販売側とは、スピーディに齟齬のない契約を交わすことができる。
【００２２】
また、家具の販売業者では、さまざまな室内の立体内観図を印刷した本発明の台紙を用意する。例えば、室内図として、フォーマル、モダン、カントリー、カジュアル、ベーシック、和風等をイメージした台紙をそれぞれ用意する。家具の方は、販売家具をシールにして、多数用意する。家具の購入者に、自宅の室内のイメージにあった室内図の台紙を選択してもらい、その上に多数の家具より選択して台紙の好みの位置に家具シールを貼り付けてもらうことにより、自宅の室内に家具を備え付けたときの室内のイメージが容易になり、部屋にマッチングした家具を選びやすくでき、販売推進に今までにない大きな効果を生み出すことができる。
【実施例１】
【００２３】
具体的に、図でもって本発明を説明する。
【００２４】
図１は、リビングルームを販売又は、リフォームすることを想定した立体内観図である。図１は、Ａ４サイズのコート紙を台紙としてカラー印刷してあるもので、印刷の表面はフラットなものとなっている。図２は、多種のドアを１枚のシートにシール印刷したもの
である。図３は、書棚等を１枚のシートにシール印刷したものである。図４は、食卓セット等を１枚のシートにシール印刷したものである。シール印刷は、いずれも次の方法で作成した。
【００２５】
下記の密着層の成分を基材として、易接着層を設けた厚み１００μｍの透明なＰＥＴフィルムの上に、塗布、乾燥後の３０μｍの厚みで設けた後、オーブンにて１５０℃、１００秒で加熱架橋させてシリコーン層をＰＥＴフィルム上に設けた。
【００２６】
密着層の成分
２液付加硬化型シリコーンゴム（商品名「ＫＥ１０９」信越化学工業（株）製）  ７０部
トルエン                                                                  ３０部
透明ＰＥＴフィルムの密着層の保護のために、ラミネート紙を、密着層面に貼り付けてシートを作成した。ロール状のシートを印刷するためにＡ４サイズに断裁した。図２のような２７種類のドアをカラー印刷した。ドアの下端部には、品番を印刷時に付けた。各ドアの廻りにカット刃をあて、ラミネート紙をカットしないようにして、印刷面から密着層までカット刃を挿入させて、それぞれのドアの廻りをカットして２７種類のドアシール（図２）を作成した。同様にして、図３のような４種類の書棚・キャビネットと４種類の応接セットを１枚のシートに印刷して８種類のシールを作成した。さらに、図４のような４種類の応接セットと８種類の食卓セットをカラー印刷して、１２種類のシールを作成した。
【００２７】
図５は、図１の台紙上に任意の位置にドアシールと応接セットシールと書棚シールを各１枚づつ貼り付けたものである。図６は、図１の台紙上に別のドアシール２枚と応接セットシール、食卓セットシール、書棚・キャビネットシールを貼り付けたものである。貼り付けは、容易にできまた、位置を修正して剥がし取って、別の位置に再度貼り付けるのも容易にできた。図６では、ドアシールの上に、一部食卓セットシール、応接セットシールが重なっているように、シールＯＮシールが容易なものである。また、食卓セットシール、応接セットシールの位置決めの際に、剥がしても、下側のドアシールが剥がれる問題もなく何回でも貼り直しをすることができた。
【００２８】
台紙の印刷や、シール上の印刷物はカラーの立体図であるため容易にリフォームのイメージを抱くことができた。シールは、透明基材を用いているため、応接セットの脚の部分が、台紙の印刷上に重なっても台紙の印刷がそのまま生かされており、違和感なくイメージできるものとなった。
【００２９】
使用後は、シールを台紙から剥がしシールのシート上に戻すことによって、何度も使うことができるものである。また、密着層を設けたシールで、密着層が汚れて密着力が衰えてきた場合は、密着層を洗浄することにより密着力を回復させることができ、半永久的に使用できる住宅販売ツールとなり得るものである。
【図面の簡単な説明】
【００３０】
【図１】台紙にリビングルームをカラー印刷した図。
【図２】シート上に２７種類のドアをカラー印刷して各ドアの廻りをカットして作成したドアシール。
【図３】シート上に４種類の書棚・キャビネットと４種類の応接セットをカラー印刷して各印刷の廻りをカットして作成した書棚と応接セットのシール。
【図４】シート上に４種類の応接セットと８種類の食卓セットをカラー印刷して各印刷の廻りをカットして作成した応接セットと食卓セットのシール。
【図５】図１の台紙上にドアと応接セットと書棚を貼り付けて施工後のリビングをイメージ化したもの。
【図６】図１の台紙上に２つのドア、応接セット、食卓セット、書棚・キャビネットとを貼り付けて施工後のリビングをイメージ化たもの。
【図７】従来の住宅販売ツール
【符号の説明】
【００３１】
１０…基本パターン表示手段であるシート
１１…基本構造を表す平面図
２０，３０…部分パターン表示手段であるカード
２１，３１…部分構造を表す図形
【図１】
2006071915.tif 000003
【図２】
2006071915.tif 000004
【図３】
2006071915.tif 000005
【図４】
2006071915.tif 000006
【図５】
2006071915.tif 000007
【図６】
2006071915.tif 000008
【図７】
2006071915.tif 000009